(57)【要約】【課題】複数の照明器具の点灯に伴うピーク電力の対策を図る。【解決手段】環境の明るさに基づいて複数の照明器具６を制御する照明制御装置１０において、環境の明るさが点灯基準照度Ｃａを下回る全灯点灯時刻Ｊａから所定動作確保時間Ｘ前までに一部の照明器具６を点灯し、前記環境の明るさが点灯基準照度Ｃａを実際に下回ったときに残りの照明器具６を点灯する構成とした。【選択図】図２
2015072812.tif 000002
【特許請求の範囲】
【請求項１】
環境の明るさに基づいて複数の照明器具を制御する照明制御装置において、
前記環境の明るさが所定値を下回る時刻より所定時間以上前までに一部の照明器具を点灯し、前記環境の明るさが所定値を下回ったときに残りの照明器具を点灯することを特徴とする照明制御装置。
【請求項２】
前記所定時間には、前記照明器具の点灯から調光完了までに要する時間を含み、一部の照明器具を点灯させた後、前記環境の明るさが所定値を下回る時刻に至る前までに、これらの照明器具の調光率を下げることを特徴とする請求項１に記載の照明制御装置。
【請求項３】
前記環境の明るさが所定値を実際に下回った時刻より前記所定時間以上前の時刻である第１時刻での前記環境の明るさの実測値を記録し、
過去の前記第１時刻での前記環境の明るさの実測値に基づいて、当日の前記第１時刻での前記環境の明るさを推測し、
推測した明るさを前記環境の明るさが下回ったときに、一部の照明器具を点灯する
ことを特徴とする請求項１又は２に記載の照明制御装置。
【請求項４】
前記第１時刻の実測値が、他の日の第１時刻よりも所定値以上早い日に得られた実測値を除いて前記環境の明るさを推測する
ことを特徴とする請求項３に記載の照明制御装置。
【請求項５】
推測した明るさを前記環境の明るさが下回った場合、そのときの現時刻が、他の日の前記第１時刻よりも所定値以上早いときには、前記一部の照明器具の消灯を維持する
ことを特徴とする請求項３又は４に記載の照明制御装置。
【請求項６】
推測した明るさを前記環境の明るさが下回った場合でも前記一部の照明器具の点灯を禁止する時間帯を設け、当該時間帯の終わりの時刻を、日没時刻の季節変化に合わせて変えることを特徴とする請求項３〜５のいずれかに記載の照明制御装置。
【請求項７】
前記照明器具の点灯を禁止する時間帯の間に、前記環境の明るさが前記所定値を下回った場合には、全ての照明器具を点灯することを特徴とする請求項６に記載の照明制御装置。
【請求項８】
互いに離間した複数のエリアの各々に設けられた照明器具と、
前記エリアの環境の明るさに基づいて前記照明器具の各々を制御する照明制御装置と、を備えた照明システムにおいて、
前記照明制御装置は、
前記環境の明るさが所定値を下回る時刻より所定時間以上前までに、前記環境の明るさが所定値以上のときに点灯させても影響が生じない箇所、或いは前記エリアに設けられている照明器具を点灯し、
前記環境の明るさが所定値を下回ったときに残りの照明器具を点灯する
ことを特徴とする照明システム。
【発明の詳細な説明】
【技術分野】
【０００１】
本発明は、例えばインターチェンジや道路等に設置された多数の照明器具を制御する技術に関する。
【背景技術】
【０００２】
トンネルや道路、或いは、高速道路のインターチェンジやサービスエリア等には、多数の照明器具が配設され、照明制御装置によって点灯／消灯が中枢的に制御されている（例えば、特許文献１、及び特許文献２参照）。一般に、照明制御装置は、環境の明るさに基づいて、全部の照明器具を一斉に点灯、又は消灯させている。
【先行技術文献】
【特許文献】
【０００３】
【特許文献１】特許第４５３４１２９号公報
【特許文献２】特開２００７−１４１５８５号公報
【発明の概要】
【発明が解決しようとする課題】
【０００４】
しかしながら、照明器具の点灯時において、多数の照明器具を一斉に点灯させると、その分、ピーク電力が高くなる、という問題がある。
本発明は、上述した事情に鑑みてなされたものであり、ピーク電力の対策を図ることができる照明制御装置、及び照明システムを提供することを目的とする。
【課題を解決するための手段】
【０００５】
上記目的を達成するために、本発明は、環境の明るさに基づいて複数の照明器具を制御する照明制御装置において、前記環境の明るさが所定値を下回る時刻より所定時間以上前までに一部の照明器具を点灯し、前記環境の明るさが所定値を下回ったときに残りの照明器具を点灯することを特徴とする。
【０００６】
また本発明は、上記照明制御装置において、前記所定時間には、前記照明器具の点灯から調光完了までに要する時間を含み、一部の照明器具を点灯させた後、前記環境の明るさが所定値を下回る時刻に至る前までに、これらの照明器具の調光率を下げることを特徴とする。
【０００７】
また本発明は、上記照明制御装置において、前記環境の明るさが所定値を実際に下回った時刻より前記所定時間以上前の時刻である第１時刻での前記環境の明るさの実測値を記録し、過去の前記第１時刻での前記環境の明るさの実測値に基づいて、当日の前記第１時刻での前記環境の明るさを推測し、推測した明るさを前記環境の明るさが下回ったときに、一部の照明器具を点灯することを特徴とする。
【０００８】
また本発明は、上記照明制御装置において、前記第１時刻の実測値が、他の日の第１時刻よりも所定値以上早い日に得られた実測値を除いて前記環境の明るさを推測することを特徴とする。
【０００９】
また本発明は、上記照明制御装置において、推測した明るさを前記環境の明るさが下回った場合、そのときの現時刻が、他の日の前記第１時刻よりも所定値以上早いときには、前記一部の照明器具の消灯を維持することを特徴とする。
【００１０】
また本発明は、上記照明制御装置において、推測した明るさを前記環境の明るさが下回った場合でも前記一部の照明器具の点灯を禁止する時間帯を設け、当該時間帯の終わりの時刻を、日没時刻の季節変化に合わせて変えることを特徴とする。
【００１１】
また本発明は、上記照明制御装置において、前記照明器具の点灯を禁止する時間帯の間に、前記環境の明るさが前記所定値を下回った場合には、全ての照明器具を点灯することを特徴とする。
【００１２】
また上記目的を達成するために、本発明は、互いに離間した複数のエリアの各々に設けられた照明器具と、前記エリアの環境の明るさに基づいて前記照明器具の各々を制御する照明制御装置と、を備えた照明システムにおいて、前記照明制御装置は、前記環境の明るさが所定値を下回る時刻より所定時間以上前までに、前記環境の明るさが所定値以上のときに点灯させても影響が生じない箇所、或いは前記エリアに設けられている照明器具を点灯し、前記環境の明るさが所定値を下回ったときに残りの照明器具を点灯することを特徴とする。
【発明の効果】
【００１３】
本発明によれば、明るさが所定値を下回る時刻より所定時間以上前までに一部の照明器具が他よりも先行して点灯することから、一斉に照明器具を点灯する場合に比べてピーク電力の対策が図られる。
【図面の簡単な説明】
【００１４】
【図１】本発明の実施形態に係る照明システムの構成を示す図である。
【図２】照明制御装置の構成を模式的に示す図である。
【図３】環境の明るさと照明制御装置の点灯動作の関係の説明図である。
【図４】日本国における点灯開始許容時刻の変更例を示す図である。
【図５】一部の照明器具の先行点灯に係る動作の概要説明図である。
【図６】一部の照明器具の先行点灯に係る動作の具体例を示す図である。
【発明を実施するための形態】
【００１５】
以下、本発明の実施形態について、高速道路を照明する照明システムを例に、図面を参照して説明する。
図１は本実施形態に係る照明システム１の構成を示す図である。
同図に示すように、高速道路２は、照明対象のエリアとなる本線車道３、料金所エリア４、及びランプウェイ５を含み、それぞれに多数の照明器具６が設置されている。料金所エリア４は、ランプウェイ５の入口や出口に設置された料金所７の周辺のエリアである。
この照明器具６は、調光可能な灯具であり、高圧ナトリウムランプやセラミックメタルハライドランプ、水銀ランプなどの高圧金属蒸気放電ランプを光源に備えている。この照明システム１においては、照明対象のエリアごとに要求される照明品質に応じて照明器具６の各々が異なっても良いが、以下の説明では、発明の理解を容易にするために、全てのエリアを同じ構成の照明器具６で照明するものとする。
【００１６】
高速道路２には、照明対象のエリアのそれぞれと環境の明るさが概ね同じとみなせる箇所に広場９が設けられ、その広場９にも多数の照明器具６が設けられ、また管理建物８が建てられている。管理建物８には、各エリアの照明器具６を制御する照明制御装置１０が設けられている。照明制御装置１０は、照明対象のエリアの各照明器具６と有線、又は無線で通信可能に接続されており、そのエリアで要求される明るさの基準に従って、各照明器具６を中枢的に制御し、点灯、消灯、及び調光する。
【００１７】
図２は、照明制御装置１０の構成を模式的に示す図である。
照明制御装置１０は、受光器１１、及び制御器１２を一体に、或いは別体で備えている。受光器１１は、広場９の明るさを検出して照度値を制御器１２に出力する。この広場９の照度値は、照明対象のエリアの各々の環境の明るさ（照度）に対応するものである。制御器１２は、受光器１１の照度値に基づいて、照明器具６の各々を点灯、消灯、及び調光するものであり、制御部１３と、点灯回路部１４と、調光回路部１５とを備えている。制御部１３は、制御器１２の各部を中枢的に制御するものであり、マイコン等のプロセッサを備えている。
【００１８】
点灯回路部１４は、制御部１３の制御の下、各照明器具６を点灯、及び消灯（いわゆる点滅）させる回路であり、第１点灯回路１４Ａと、第２点灯回路１４Ｂとの２系統の照明回路を備えている。第１点灯回路１４Ａは第２点灯回路１４Ｂよりも先行して照明器具６を点灯する回路である。各照明器具６は、第１点灯回路１４Ａ、及び第２点灯回路１４Ｂのいずれかに通信可能に接続されて点滅が制御される。
この照明システム１では、ランプウェイ５、及び広場９の照明器具６が第１点灯回路１４Ａに接続され、本線車道３、及び料金所エリア４の照明器具６が第２点灯回路１４Ｂに接続されている。したがって、ランプウェイ５、及び広場９の照明器具６が他の照明器具６よりも先行して早期に点灯されることとなる。
【００１９】
調光回路部１５は、制御部１３の制御の下、各照明器具６を調光する回路であり、第１調光回路１５Ａと、第２調光回路１５Ｂとの２系統の調光回路を備えている。第１調光回路１５Ａは第１点灯回路１４Ａによって制御される照明器具６と通信可能に接続され、これらを調光し、第２調光回路１５Ｂは第２点灯回路１４Ｂによって制御される照明器具６と通信可能に接続され、これらを調光する。
なお、この制御器１２には、例えば、高速道路に設置された各種の標識表示の点灯を制御するための回路等も設けられている。
【００２０】
この照明システム１では、全部のエリアの照明器具６を点灯状態とする環境の明るさの基準（以下、点灯基準照度Ｃａと言う）が設定されている。この点灯基準照度Ｃａは、照明対象たる高速道路の照明に要求される仕様などに基づき決定されている。ただし、環境の明るさが点灯基準照度Ｃａを下回ったときに全ての照明器具６を一斉に点灯させてしまうと、ピーク電力が高くなり電力会社において電源がダウンする可能性がある。また、照明器具６の光源に用いた高圧金属蒸気放電ランプは、調光率１００％で点灯開始させる必要があることから、調光率を下げた状態で点灯開始させてピーク電力を抑えるとった対策ができない。さらに、高圧金属蒸気放電ランプは、点灯開始後、点灯が安定するまでの時間（以下、安定化所要時間Ｔａと言う）が経過した後でないと調光することができない。このため、安定化所要時間Ｔａが経過して調光率が下げられるようになるまで、ピーク電力が継続してしまうことになる。
【００２１】
そこで、この照明システム１では、照明制御装置１０が上記第１点灯回路１４Ａに接続された照明器具６を、第２点灯回路１４Ｂに接続された照明器具６よりも先行して早期の点灯させることで、全ての照明器具６が一斉に点灯開始することを避けている。
さらに、この照明システム１では、全部の照明器具６を点灯させた当初に、これらが全て調光率１００％の点灯状態になることを防止することで、ピーク電力を抑制している。
【００２２】
照明制御装置１０は、係る動作のために、図２に示すように、全灯点灯指令部３０と、一部点灯開始指令部３２と、を備えている。
全灯点灯指令部３０は、環境の明るさが点灯基準照度Ｃａを下回ったときに、第１点灯回路１４Ａ、及び第２点灯回路１４Ｂに指令を出力して全ての照明器具６を点灯状態とする。なお、第２点灯回路１４Ｂの照明器具６に先行して、第１点灯回路１４Ａの照明器具６が点灯している場合には、全灯点灯指令部３０は、第２点灯回路１４Ｂにのみ指令を出力しても良い。
【００２３】
一部点灯開始指令部３２は、所定の一部点灯開始条件が成立した場合に、第１点灯回路１４Ａのみに点灯指令を出力し、当該第１点灯回路１４Ａに接続された各照明器具６を調光率１００％で点灯する。上記一部点灯開始条件には、環境の明るさが点灯基準照度Ｃａを下回る時刻（以下、全灯点灯時刻Ｊａと言う）よりも所定動作確保時間Ｘ以上前に遡ったタイミングの到来が設定されている。このタイミングの到来の判定、すなわち一部点灯開始条件成立判断は、環境の明るさに基づいて行われる。具体的には、全灯点灯時刻Ｊａよりも所定動作確保時間Ｘ以上時間前に遡った時刻における照度（以下、一部点灯開始照度Ｃｂと言う）を環境の明るさが下回った場合に、一部点灯開始条件が成立したと判断される。
かかる成立判断のために、一部点灯開始指令部３２は、一部点灯開始照度Ｃｂを決定する一部点灯開始照度決定部３４を備え、環境の明るさが一部点灯開始照度Ｃｂを下回った場合に、一部点灯開始条件が成立したと判断し、第１点灯回路１４Ａに点灯指令を出力する。
この照明制御装置１０では、一部点灯開始照度Ｃｂが、毎日、過去の傾向に基づいて一部点灯開始照度決定部３４によって求められており、これについては後述する。
【００２４】
所定動作確保時間Ｘは、点灯開始後の光量変化を安定させ、その後、調光制御を行うといった一連の所定動作に必要な時間を確保する時間である。この所定動作確保時間Ｘは少なくとも上記安定化所要時間Ｔａと、調光制御に要する調光制御時間Ｔｂとを含む時間よりも長い時間（例えば３０分）に設定されている。すなわち、この全灯点灯時刻Ｊａより少なくとも所定動作確保時間Ｘ前に照明器具６を点灯させることで、これらの照明器具６を全灯点灯時刻Ｊａに至る前に調光制御して調光率を例えば５０％に低下させておくことができる。
【００２５】
図３は、環境の明るさと照明制御装置１０の点灯動作の関係の説明図である。
照明制御装置１０は、毎日、一部点灯開始照度Ｃｂを推測により決定する。この推測は、当日の前の日までの一部点灯開始照度Ｃｂの傾向に基づいて行われる。したがって、当日の一部点灯開始照度Ｃｂを決定する決定動作は、前日の一部点灯開始照度Ｃｂの実測値が得られた後、後述の点灯開始許容時刻Ｊｃに至る前までに行われる。
【００２６】
図３の実線Ａに示すように、環境の明るさが一部点灯開始照度Ｃｂを下回った場合（時刻：一部点灯開始時刻Ｊｂ）、照明制御装置１０は、一部の照明器具６を先行して点灯させるべく、第１点灯回路１４Ａに接続された照明器具６の各々を調光率１００％で点灯する。一般に、一部点灯開始時刻Ｊｂにおける環境の明るさは、点灯基準照度Ｃａよりも明るい。こたのめ、先行して点灯させる照明器具６には、この一部点灯開始照度Ｃｂのときに調光率１００％で点灯し照明が行われても影響が少ない箇所、或いは上記照射対象のエリアに配設されているものが選定されている。
この点灯開始から上記安定化所要時間Ｔａが経過した後、照明制御装置１０は、これらの照明器具６を第１調光回路１５Ａにより調光して調光率を下げる。これにより、全灯点灯が行われる前に、一部の照明器具６を低い調光率で点灯させておくことができる。
調光に要する調光制御時間Ｔｂと、上記安定化所要時間Ｔａは、毎回、ほぼ同じ時間であることから、少なくともこれらの合算値が上記所定動作確保時間Ｘとして全灯点灯時刻Ｊａに至るまでの間に確保される。なお、図３において、符号Ｔｃは、所定動作確保時間Ｘの経過後、全灯点灯時刻Ｊａに至るまでのアイドル時間を示す。
【００２７】
その後、環境の明るさが点灯基準照度Ｃａを下回った場合（時刻：全灯点灯時刻Ｊａ）、照明制御装置１０は、全部の照明器具６を点灯状態とすべく、第２点灯回路１４Ｂに接続された照明器具６の各々を調光率１００％で点灯する。このとき、既に点灯中の照明器具６の調光率は１００％よりも低い値であるから、全灯点灯状態において、全部が調光率１００％で点灯してしまうことがなく、ピーク電力が十分に抑えられる。
そして、図示を省略するが、全灯点灯時刻Ｊａから更に安定化所要時間Ｔａが経過した後、照明制御装置１０は、第２点灯回路１４Ｂに接続された照明器具６の各々を第２調光回路１５Ｂにより調光開始することとなる。
【００２８】
ここで、上記の一部点灯開始照度Ｃｂは、点灯基準照度Ｃａよりも大きな値が設定されるため、図３の点線Ｂで示すように、環境の明るさが点灯基準照度Ｃａを下回ることが想定され難い時刻（例えば、午前中）に、一部点灯開始照度Ｃｂを下回ってしまう場合がある。この場合に、一部の照明器具６の点灯を開始させると、残りの照明器具６を点灯する全灯点灯時刻Ｊａまでの時間が無駄に長くなり、エネルギー消費の無駄が多くなる。
そこで、照明制御装置１０は、毎日において、日の出後の消灯から例えば正午などの所定の時刻（点灯開始許容時刻Ｊｃ）が到来するまでの時間帯は、環境の明るさが一部点灯開始照度Ｃｂを下回った場合でも、一部の照明器具６の点灯を禁止することとしている。また照明制御装置１０は、図３の点線Ｃで示すように、環境の明るさが点灯基準照度Ｃａを下回った場合には、時刻にかかわらずに、全部の照明器具６が点灯することとなる。
【００２９】
ただし、照明器具６の点灯を禁止する時間帯の終わりの時刻である点灯開始許容時刻Ｊｃを固定値にすると、日照時間、及び日没時刻の季節変化が反映されないため、例えば点灯開始許容時刻Ｊｃと全灯点灯時刻Ｊａ、或いは一部点灯開始時刻Ｊｂの間の差が大きい季節においては無駄な点灯時間が生じる。
そこで、この照明制御装置１０では、点灯開始許容時刻Ｊｃを一定期間ごとに変更することとしている。
具体的には、照明制御装置１０は、図２に示すように、データ蓄積部３５を備え、受光器１１の出力に基づいて、毎日、環境の一日の明るさの変化を監視し、一部点灯開始時刻Ｊｂ（点灯基準照度Ｃａを下回った時刻から所定動作確保時間Ｘ前の時刻）の実測値、及び、この一部点灯開始時刻Ｊｂにおける照度の実測値である一部点灯開始照度Ｃｂの実測値をデータ蓄積部３５に記録して蓄積する。
そして照明制御装置１０は、一定期間（例えば１ヶ月間）が経過するごとに、直前の一定期間における一部点灯開始時刻Ｊｂの実測値の中で一番早い時刻を基準に、当該時刻よりも一定時間前の時刻に点灯開始許容時刻Ｊｃを変更する。これにより、毎回の一定期間において、直前の一定期間の一部点灯開始時刻Ｊｂを基準に点灯開始許容時刻Ｊｃが常に設定されることから、季節による日没時刻の変化に追従して点灯開始許容時刻Ｊｃが変更される。
【００３０】
図４は、日本国における点灯開始許容時刻Ｊｃの変更例を示す図である。なお、図示例では、一定期間に１ヶ月が設定されている。
日本国においては、冬至から夏至にかけての間は、前の月と比較して日が長くなるため全灯点灯時刻Ｊａ、及び一部点灯開始時刻Ｊｂが次第に遅くなり、夏至から冬至にかけての間は、前の月から比較して日が短くなるため全灯点灯時刻Ｊａ、及び一部点灯開始時刻Ｊｂが次第に早くなる。すなわち、日本国においては、図４に示すように、冬至から夏至にかけての間は、前の月の一部点灯開始時刻Ｊｂの実測値の中で一番早かった時刻を点灯開始許容時刻Ｊｃとし、夏至から冬至にかけての間は、前の月の一部点灯開始時刻Ｊｂの実測値の中で一番早かった時刻から更に設定値だけ早めた時刻を点灯開始許容時刻Ｊｃとすれば良いことになる。この設定値は、１ヶ月の開始日と最終日の日没時刻の差に応じた時間である。例えば日本国においては、夏至付近の月（図示例では、７月、８月）では「３０分」に設定され、９月〜１２月では「６０分」に設定される。
なお、各月においては、初日と最終日の日没時刻の時間差を超えない範囲で一部点灯開始時刻Ｊｂを適宜に可変することもできる。
【００３１】
ところで、環境の明るさが点灯基準照度Ｃａを下回る全灯点灯時刻Ｊａは、季節、さらには天候によって日々変化するものであり、また都市部と山間部といった設置環境の違いによっても異なる。このため、日々の全灯点灯時刻Ｊａを予め画一的に設定することは困難であり、このため、全灯点灯時刻Ｊａから所定動作確保時間Ｘ前の時刻として規定される上記の一部点灯開始時刻Ｊｂも予め設定しておくことができない。
そこで、この照明制御装置１０では、データ蓄積部３５に蓄積されている直近数日分の一部点灯開始照度Ｃｂの実測値に基づいて、次の日の一部点灯開始照度Ｃｂを推測により決定し、日々の変動に追従した一部点灯開始照度Ｃｂが設定されるようにしている。
【００３２】
この推測の手法には、直近数日間（例えば１０日間）を基に一部点灯開始照度Ｃｂは実測値の平均値、或いは最大値を採用することが考えられるが、環境の日々の明るさは、その日の天候によっても大きく左右され、ばらつきが大きい。例えば、天気が悪く点灯基準照度Ｃａが早い時刻に到来する日が続いた場合、点灯基準照度Ｃａから所定動作確保時間Ｘ前の時刻もその分早くなり、比較的明るい照度が一部点灯開始照度Ｃｂに蓄積される。この場合、その後の天候が良い日においては、比較的明るい早期の時刻から一部の照明器具６が点灯を開始してしまい、エネルギー消費の無駄が多くなる。
【００３３】
そこで、この照明制御装置１０では、一部点灯開始照度Ｃｂに至った現時刻が、直近の一部点灯開始時刻Ｊｂに比べ所定値（例えば１時間３０分）以上早すぎる日については、その日の一部点灯開始照度Ｃｂを計算から除外して、一部点灯開始照度Ｃｂの平均値、或いは最大値を算出することで、一部点灯開始照度Ｃｂの精度を上げることとしている。
さらに、この照明制御装置１０は、環境の明るさが一部点灯開始照度Ｃｂを下回った時刻が、上記点灯開始許容時刻Ｊｃ以降であっても、直近一定日分（例えば１０日分）の一部点灯開始照度Ｃｂの実測値の平均よりも所定値以上早い場合には、原則、一部の照明器具６の先行点灯をしないようにしている。
【００３４】
図５は、一部の照明器具６の先行点灯に係る動作の概要説明図である。
照明制御装置１０は、照明システム１が設置された後（ステップＳａ１）、毎日、環境の明るさの変化を監視する。照明制御装置１０は、この監視を通じて、環境の明るさが点灯基準照度Ｃａを下回った時刻である全灯点灯時刻Ｊａを実測する。そして、照明制御装置１０は、この全灯点灯時刻Ｊａよりも所定動作確保時間Ｘ前の時刻を一部点灯開始時刻Ｊｂの実測値として求め、この一部点灯開始時刻Ｊｂにおける照度を一部点灯開始照度Ｃｂの実測値として求め、これをデータ蓄積部３５に記録する（ステップＳａ２）。これにより、一部点灯開始時刻Ｊｂ、及び一部点灯開始照度Ｃｂの毎日の実測値がデータ蓄積部３５に蓄積される。
【００３５】
照明システム１が設置された当初は、一部点灯開始照度Ｃｂを推測するための十分な蓄積が無いため、設置当初の一定日間（例えば１０日間）、照明制御装置１０は、毎日の一部点灯開始照度Ｃｂを決定するとき、既定値（例えば２０００ルクス）に決定する。なお、設置当初の一定日間は１日間以上の任意の期間を設定できる。
そして、一定日間が経過した後、その翌日以降、照明制御装置１０は、毎日、少なくとも、上記点灯開始許容時刻Ｊｃまでに、直近数日分（例えば直近１０日分）の一部点灯開始照度Ｃｂの実測値の平均値、或いは最大値によって次の一部点灯開始照度Ｃｂを推測して決定する（ステップＳａ３）。
そして、毎日において、環境が次第に暗くなり、環境の明るさが当日の一部点灯開始照度Ｃｂの推測値まで低下した場合（ステップＳａ４：Ｙｅｓ）、一部の照明器具６の先行点灯の可否を判断すべく次の処理を行う。
すなわち、照明制御装置１０は、先ず、環境の明るさが点灯基準照度Ｃａまで低下しているか否かを判断する（ステップＳａ５）。環境の明るさが点灯基準照度Ｃａまで低下してしまっている場合には（ステップＳａ５：Ｙｅｓ）、全部の照明器具６を点灯させる必要があるため、照明制御装置１０は、第１点灯回路１４Ａ、及び第２点灯回路１４Ｂの照明器具６をそれぞれ点灯させる（ステップＳａ６）。
【００３６】
一方、環境の明るさが点灯基準照度Ｃａまで低下していない場合には（ステップＳａ５：Ｎｏ）、照明制御装置１０は、先行点灯の可否を判断する。この判断は、現時刻と、直近数日分の一部点灯開始時刻Ｊｂの実測値の平均時刻（例えば１７時）との対比に基づいて行われる。
すなわち、照明制御装置１０は、この一部点灯開始時刻Ｊｂの平均時刻よりも現時刻が所定値（例えば１時間３０分）以上早いかを判断する（ステップＳａ７）。この直近数日分の一部点灯開始時刻Ｊｂの実測値からは、上述の通り、その前日までの直近数日分の実測値に比べてズレが大きいものが除外されている。
【００３７】
現時刻が一部点灯開始時刻Ｊｂの平均時刻よりも早過ぎない場合（ステップＳａ７：Ｙｅｓ）、照明制御装置１０は、現時刻が上記の点灯開始許容時刻Ｊｃを過ぎていることを条件に（ステップＳａ８：Ｙｅｓ）、第１点灯回路１４Ａの照明器具６を点灯する（ステップＳａ９）。
これにより、環境の明るさが一部点灯開始照度Ｃｂを下回った場合には、点灯開始許容時刻Ｊｃを過ぎた時刻であり、なおかつ、直近数日間の一部点灯開始時刻Ｊｂとのズレが小さいときに限り、第１点灯回路１４Ａの照明器具６が先行して点灯される。
また、現時刻が上記の点灯開始許容時刻Ｊｃを過ぎていない場合には（ステップＳａ８：Ｎｏ）、上述の通り、所定動作確保時間Ｘ後に点灯基準照度Ｃａを下回る可能性が低いことから、照明制御装置１０は、第１点灯回路１４Ａの照明器具６を消灯状態に維持し（ステップＳａ１０）、ステップＳａ４に処理手順を戻す。この場合、その後に何らかの理由により、環境の明るさが急激に低下し点灯基準照度Ｃａを下回る事態が生じた場合は、上記ステップＳａ５、Ｓａ６の処理が行われて、全部の照明器具６が速やかに点灯される。
【００３８】
一方、この照明システム１では、現時刻が一部点灯開始時刻Ｊｂの平均時刻よりも所定値以上早い場合であっても、そのまま先行点灯を許容する動作モードである「無効モード」をユーザが指定可能になされている。すなわち、照明制御装置１０は、現時刻が一部点灯開始時刻Ｊｂの平均時刻よりも所定値以上早い場合（ステップＳａ７：Ｙｅｓ）、「無効モード」が無効であるときには（ステップＳａ１１：無効）、第１点灯回路１４Ａの照明器具６を消灯状態に維持し（ステップＳａ１０）、ステップＳａ４に処理手順を戻す。「無効モード」が有効である場合（ステップＳａ１１：有効）、照明制御装置１０は、第１点灯回路１４Ａの照明器具６を先行して点灯させる（ステップＳａ１２）。
「無効モード」を無効にすることで、雨天等の天候不良により、環境の明るさが早期のうちに低下するような場合であっても、その時点で一部の照明器具６が無駄に点灯してしまうことが防止される。一方、環境の明るさが一部点灯開始照度Ｃｂ付近の明るさであっても、一部の照明器具６の点灯が無駄になることなく何らかに有効に寄与する場合には、「無効モード」を有効にすることで、環境の明るさが一部点灯開始照度Ｃｂを下回った時点で、そのときの現時刻にかかわらずに、一部の照明器具６を点灯させることができる。
【００３９】
図６は、一部の照明器具６の先行点灯に係る動作の具体例を示す図である。
なお、この図では、照明システム１が設置されてから１０日目以降の翌日から一部点灯開始照度Ｃｂを推測により決定する場合が示されている。
同図の「１１日目」、及び「１２日目」に示されるように、その日の天候が良い場合、環境の明るさが一部点灯開始照度Ｃｂの推測値を下回ったときの時刻（現時刻）は、直近１０日分の一部点灯開始時刻Ｊｂの実測値の平均値に近く、所定値（例えば１時間３０分）以内に収まっている。この場合には、図５に示したステップＳａ９の処理が実行されて、第１点灯回路１４Ａの照明器具６が先行して点灯することになる。
また、「１１日目」、及び「１２日目」では、環境の明るさ変化の監視結果に基づいて、環境の明るさが点灯基準照度Ｃａを下回った時刻である全灯点灯時刻Ｊａが実測される。そして、この全灯点灯時刻Ｊａよりも所定動作確保時間Ｘ（図示例では３０分）前の時刻と、その時刻での照度が、それぞれ一部点灯開始時刻Ｊｂ、及び一部点灯開始照度Ｃｂの実測値として記録される。そして「１２日目」、及び「１３日目」では、それぞれの日から直近１０日間における一部点灯開始照度Ｃｂの実測値の平均値が、当日の一部点灯開始照度Ｃｂとして推測され決定される。
【００４０】
一方、「１３日目」に示されるように、その日の天候が悪い場合には、環境の明るさが一部点灯開始照度Ｃｂの推測値を下回ったときの時刻（現時刻）が、直近１０日分の一部点灯開始時刻Ｊｂの実測値の平均値よりも、所定値（例えば１時間３０分）以上早くなる。この場合には、図５に示したステップＳａ１１の「無効モード」の設定に応じて、第１点灯回路１４Ａの照明器具６の先行点灯が行われることになる。
また、「１３日目」では、天候不良に起因して、一部点灯開始時刻Ｊｂ、及び一部点灯開始照度Ｃｂの実測値も、それらの直近１０日間と比べてズレが大きい。したがって、翌日の「１４日目」の一部点灯開始照度Ｃｂを推測により決定するときには、「１３日目」の一部点灯開始照度Ｃｂの実測値を除外した直近１０日分の平均値が算出されることになる。
また、「１４日目」における一部点灯開始時刻Ｊｂの平均においても同様に、「１３日目」の一部点灯開始時刻Ｊｂの実測値を除外した直近１０日分の平均が用いられることになる。
【００４１】
このように、一部点灯開始照度Ｃｂ、及び一部点灯開始時刻Ｊｂの実測値のうち、天候が悪い日の値を除外した値に基づいて、一部点灯開始照度Ｃｂが推測されることから、一部点灯開始照度Ｃｂの推測精度が高められる。
【００４２】
また、一部点灯開始照度Ｃｂ、及び一部点灯開始時刻Ｊｂの実測値のうち、除外された値を集計し、この集計データを先行点灯の可否の判断に用いることもできる。すなわち、照明制御装置１０は、除外された一部点灯開始時刻Ｊｂの実測値の平均値を予め求めておき、図５のステップＳａ１１に代えて、或いはステップＳａ１１の次に、この平均値と現時刻のズレを判断し、ズレが大きくなければ（例えば３０分など）、図５のステップＳａ１２に処理を進めて、第１点灯回路１４Ａを点灯させることもできる。
【００４３】
以上説明したように、本実施形態によれば、照明対象の各エリアの環境の明るさが点灯基準照度Ｃａを下回る時刻（全灯点灯時刻Ｊａ）から所定動作確保時間Ｘ以上前までに一部の照明器具６を他よりも先行して点灯させ、環境の明るさが実際に点灯基準照度Ｃａを下回ったときに残りの照明器具６を点灯することから、一斉に照明器具６を点灯する場合に比べてピーク電力の継続時間が短くなり、ピーク電力対策が図られる。
【００４４】
また本実施形態によれば、所定動作確保時間Ｘには、照明器具６の点灯から調光完了までに要する時間である上記安定化所要時間Ｔａと調光制御時間Ｔｂを含み、照明制御装置１０は、一部の照明器具６を点灯させた後、全灯点灯時刻Ｊａに至る前までに、これらの照明器具６の調光率を下げる構成とした。
これにより、全灯点灯時刻Ｊａにおいて照明器具６を全灯させたときに、全ての照明器具６が調光率１００％の点灯状態になることが無く、全灯点灯時のピーク電力が抑えられる。
【００４５】
また本実施形態によれば、照明制御装置１０は、全灯点灯時刻Ｊａの実測値から所定動作確保時間Ｘだけ前の時刻、及び当該時刻での環境の明るさの実測値を、それぞれ一部点灯開始時刻Ｊｂの実測値、及び一部点灯開始照度Ｃｂの実測値として記録する。そして、照明制御装置１０は、直近１０日分の一部点灯開始照度Ｃｂの実測値に基づいて、当日の一部点灯開始照度Ｃｂを推測し、この推定した一部点灯開始照度Ｃｂを環境の明るさが下回ったときに一部の照明器具６を点灯する。
これにより、環境の明るさが点灯基準照度Ｃａを下回る全灯点灯時刻Ｊａが、季節等によって日々変化しても、この日々の変動に追従して一部点灯開始照度Ｃｂを設定することができる。これにより、一部の照明器具６の点灯が無駄になる時間を抑えつつ、一部の照明器具６を点灯させてから全灯点灯時刻Ｊａに至るまでの時間に上記所定動作確保時間Ｘを確実に確保することができる。
【００４６】
また本実施形態によれば、照明制御装置１０は、他の日の一部点灯開始時刻Ｊｂの実測値の平均よりも一部点灯開始時刻Ｊｂの実測値が所定値以上早い場合は、その日の実測値を除いた実測値に基づいて一部点灯開始照度Ｃｂを推測する。これにより、天候の影響を受けずに、正確な一部点灯開始照度Ｃｂを推測して決定できる。
【００４７】
また本実施形態によれば、照明制御装置１０は、一部点灯開始照度Ｃｂの推測値を環境の明るさが下回ったときの現時刻が、直近１０日分の一部点灯開始時刻Ｊｂの実測値よりも規定時間以上早いときには、一部の照明器具６の消灯を維持する。
これにより、雨天等の天候不良により、環境の明るさが早期のうちに低下するような場合であっても、その時点で一部の照明器具６が無駄に点灯してしまうことがない。
【００４８】
また本実施形態によれば、一部点灯開始照度Ｃｂの推測値を環境の明るさが下回った場合でも照明器具６の点灯を禁止する時間帯を設け、照明制御装置１０は、当該時間帯の終わりの時刻である点灯開始許容時刻Ｊｃを、日没時刻の季節変化に合わせて変える。
これにより、日没時刻に対して点灯開始許容時刻Ｊｃが無駄に早い時刻に設定されることがなく、一部の照明器具６の無駄な点灯時間が抑えられる。
【００４９】
また本実施形態によれば、点灯開始許容時刻Ｊｃより前の時刻であっても、環境の明るさが点灯基準照度Ｃａを下回った場合には、全ての照明器具６を点灯する。
これにより、何らかの理由によって、環境の明るさが早期に点灯基準照度Ｃａを下回った場合でも、速やかに全ての照明器具６を点灯させて、環境の明るさを確保できる。
【００５０】
また本実施形態によれば、照明制御装置１０が、互いに離間した複数のエリアの各々に設けられた照明器具６のうち、点灯基準照度Ｃａよりも明るいうちから先行して照明器具６を点灯させても弊害がない箇所やエリアに設けられている照明器具６を先行点灯させる。これにより、照明対象の照明に影響を与えることなく、ピーク電力を好適に抑えることができる。
【００５１】
なお、上述した実施形態は、あくまでも本発明の一態様を例示したものであって、本発明の趣旨を逸脱しない範囲で任意に変形、及び応用が可能である。
例えば、上述した実施形態において、照明器具６の光源の例として高圧金属蒸気放電ランプを例示したが、これに限らず、ＬＥＤ等の発光素子といった任意の光源を用いることができる。
また上述した施形態において、照射対象のエリアの環境の明るさとして照度を用いる構成としたが、これに限らず、輝度を用いても良い。
また本発明は、複数の照明器具６で照明する任意の照明システムに適用して実施することができる。
【符号の説明】
【００５２】
１  照明システム
２  高速道路
３  本線車道（エリア）
４  料金所エリア（エリア）
５  ランプウェイ（エリア）
６  照明器具
９  広場（エリア）
１０  照明制御装置
１１  受光器
１２  制御器
１４Ａ  第１点灯回路
１４Ｂ  第２点灯回路
１５Ａ  第１調光回路
１５Ｂ  第２調光回路
３５  データ蓄積部
Ｃａ  点灯基準照度（所定値）
Ｃｂ  一部点灯開始照度（第１時刻での環境の明るさ）
Ｊａ  全灯点灯時刻（環境の明るさが所定値を下回った時刻）
Ｊｂ  一部点灯開始時刻（第１時刻）
Ｊｃ  点灯開始許容時刻（時間帯の終わりの時刻）
Ｘ  所定動作確保時間（所定時間）
【図１】
2015072812.tif 000003
【図２】
2015072812.tif 000004
【図３】
2015072812.tif 000005
【図４】
2015072812.tif 000006
【図５】
2015072812.tif 000007
【図６】
2015072812.tif 000008